(57)【要約】【課題】  ステータの寸法精度の低下を抑制する技術を提供する。【解決手段】  ステータ６０は、複数個の部分コアＵ１〜Ｗ２を有するコア本体を備える。ステータ６０は、複数個の部分コアＵ１〜Ｗ２が展開されている展開状態から、各部分コアＵ１〜Ｗ２の連結部９８が折り曲がることによって、複数個の部分コアＵ１〜Ｗ２が筒形状に並ぶ筒状態に変形されて形成される。複数個の部分コアＵ１〜Ｗ２のヨーク部９５のそれぞれは、ステータ６０の周方向の端部において、隣接する部分コアのヨーク部９５と対向する対向面を有しており、対向面９５ａ，９５ｍは、ステータ６０の周方向において間隔を空けて配置されている。【選択図】  図２
2014204601.tif 000002
【特許請求の範囲】
【請求項１】
ブラシレスモータであって、
ステータと、
ステータに対向して配置されるロータと、を備え、
ステータは、
複数個の部分コアを有するコア本体と、
複数個の部分コアのそれぞれに巻回されるコイル線と、を備え、
複数個の部分コアのそれぞれは、
ステータの外縁に位置するヨーク部と、
ヨーク部からロータに向かって伸び、ロータに対向する対向面を有するティース部であって、コイル線に巻回されるティース部と、
ヨーク部から隣接する部分コアに向かって伸びて、隣接する部分コアのヨーク部に連結される連結部と、を備え、
ステータは、
複数個の部分コアが展開されている展開状態から、各部分コアの連結部が折り曲がることによって、複数個の部分コアが筒形状に並ぶ筒状態に変形されて形成されており、
複数個の部分コアのヨーク部のそれぞれは、ステータの周方向の端部において、隣接する部分コアのヨーク部と対向する対向面を有しており、
互いに対向する複数組の対向面のうちの少なくとも１組の対向面は、ステータの周方向において間隔を空けて配置され、
互いに対向する複数組の対向面のうちの残りの組の対向面は、ステータの周方向において当接する、ブラシレスモータ。
【請求項２】
ステータの外周を一巡したときの長さは、展開状態における複数個の部分コアのヨーク部のステータの外周に相当する部分の長さと連結部の長さとの合計よりも長い、請求項１に記載のブラシレスモータ。
【請求項３】
ステータの周方向において間隔を空けて配置されている少なくとも１組の対向面は、ロータの回転中心からステータの外周に向かう方向において、当接する、請求項１又は２に記載のブラシレスモータ。
【請求項４】
ブラシレスモータは、３×Ｎ（Ｎは、正の整数）個のスロットを有する３相交流モータであり、
複数個の部分コアのそれぞれは、３相に対応する３個の部分コアで構成されるＮ個のコアグループのいずれかに属し、
各コアグループでは、３個の部分コアは、連続して配置され、
隣接する２個のコアグループの間に位置する１組の対向面は、ステータの周方向において間隔を空けて配置される、請求項１から３のいずれか一項に記載のブラシレスモータ。
【請求項５】
各コアグループに属する３個の部分コアの２組の対向面は、ステータの周方向において当接する、請求項４に記載のブラシレスモータ。
【発明の詳細な説明】
【技術分野】
【０００１】
本明細書に開示の技術は、ブラシレスモータに関する。
【背景技術】
【０００２】
特許文献１には、固定子を備える回転電機が開示されている。この固定子は、連結部によって連結している複数個の磁極片が直線状に並ぶ積層鉄心を折り曲げて、円筒状に形成することによって作製される。円筒状に形成された固定子では、各磁極片のバックヨーク部の端面は、隣接する磁極片のバックヨーク部の端面に当接する。
【先行技術文献】
【特許文献】
【０００３】
【特許文献１】特開２００８−９２６９１号公報
【発明の概要】
【発明が解決しようとする課題】
【０００４】
特許文献１の技術では、製品毎に、複数個の磁極片が直線状に並ぶ積層鉄心の長さにばらつきがあると、磁極片のバックヨーク部の端面同士が適切に当接せずに、固定子の寸法精度が低下する。
【０００５】
本明細書では、コア本体に含まれる複数個の部分コアが展開されている展開状態から、複数個の部分コアが筒形状に並ぶ筒状態に変形されてステータが形成される場合に、ステータの寸法精度の低下を抑制する技術を提供する。
【課題を解決するための手段】
【０００６】
本明細書で開示される技術は、ブラシレスモータに関する。ブラシレスモータは、ステータと、ステータに対向して配置されるロータと、を備える。ステータは、複数個の部分コアを有するコア本体と、複数個の部分コアのそれぞれに巻回されるコイル線と、を備える。複数個の部分コアのそれぞれは、ヨーク部と、ティース部と、連結部とを備える。ヨーク部は、ステータの外縁に位置する。ティース部は、ヨーク部からロータに向かって伸び、ロータに対向する対向面を有する。ティース部は、コイル線に巻回される。連結部は、ヨーク部から隣接する部分コアに向かって伸びて、隣接する部分コアのヨーク部に連結される。ステータは、複数個の部分コアが展開されている展開状態から、各部分コアの連結部が折り曲がることによって、複数個の部分コアが筒形状に並ぶ筒状態に変形されて形成されている。複数個の部分コアのヨーク部のそれぞれは、ステータの周方向の端部において、隣接する部分コアのヨーク部と対向する対向面を有している。互いに対向する複数組の対向面のうちの少なくとも１組の対向面は、ステータの周方向において間隔を空けて配置されている。互いに対向する複数組の対向面のうちの残りの組の対向面は、ステータの周方向において当接している。
【０００７】
この構成によれば、ステータ毎に、展開状態のコア本体の寸法にばらつきがある場合、少なくとも１組の対向面間に設けられた隙間が狭くなったり、広くなったりすることによって、ばらつきが解消される。この結果、ステータの寸法精度の低下が抑制される。
【図面の簡単な説明】
【０００８】
【図１】燃料ポンプの縦断面図。
【図２】第１実施例の図１のII-II断面におけるステータの断面図。
【図３】第１実施例の展開状態のステータの平面図。
【図４】第１実施例の図１のII-II断面における展開状態のステータの断面図。
【図５】第１実施例の変形例の図１のII-II断面における展開状態のステータの断面図。
【図６】第１実施例の変形例の図１のII-II断面におけるステータの断面図。
【図７】第２実施例の図１のII-II断面における展開状態のステータの断面図。
【図８】第２実施例の図１のII-II断面におけるステータの断面図。
【図９】第３実施例の図１のII-II断面における展開状態のステータの断面図。
【図１０】第３実施例の図１のII-II断面におけるステータの断面図。
【図１１】変形例の図１のII-II断面におけるステータの断面図。
【発明を実施するための形態】
【０００９】
以下に説明する実施例の主要な特徴を列記する。なお、以下に記載する技術要素は、それぞれ独立した技術要素であって、単独であるいは各種の組合せによって技術的有用性を発揮するものである。
【００１０】
（特徴１）ステータの外周を一巡したときの長さは、展開状態における複数個の部分コアのヨーク部のステータの外周に相当する部分の長さと連結部の長さとの合計よりも長くてもよい。
【００１１】
この構成によれば、ステータを容易に作製することができる。
【００１２】
（特徴２）ステータの周方向において間隔を空けて配置されている少なくとも１組の対向面は、ロータの回転中心からステータの外周に向かう方向において、当接していてもよい。
【００１３】
この構成によれば、間隔を空けて配置される対向面を有する一対の部分コアは、ロータの回転中心からステータの外周に向かう方向において、相互に位置決めをすることができる。
【００１４】
（特徴３）ブラシレスモータは、３×Ｎ（Ｎは、正の整数）個のスロットを有する３相交流モータであってもよい。複数個の部分コアのそれぞれは、３相に対応する３個の部分コアで構成されるＮ個のコアグループのいずれかに属していてもよい。各コアグループでは、３個の部分コアは、連続して配置されていてもよい。隣接する２個のコアグループの間に位置する１組の対向面は、ステータの周方向において間隔を空けて配置されていてもよい。
【００１５】
この構成では、各コアグループ内の３個の部分コアによって、ヨーク部の磁気回路が形成される。この結果、ブラシレスモータは、対向面に間隔を設けない構成を有するブラシレスモータと同様のモータ特性を発揮することができる。
【００１６】
（特徴４）各コアグループに属する３個の部分コアの２組の対向面は、ステータの周方向において当接していてもよい。
【００１７】
この構成によれば、コアグループ内の隣接する部分コアのヨーク部間の磁気抵抗を抑制することができる。
【実施例】
【００１８】
（第１実施例）
図１に示すように、本実施例のモータ部５０は、燃料ポンプ１０に用いられる。燃料ポンプ１０は、燃料タンク（図示省略）内に配置され、自動車のエンジン（図示省略）に燃料（例えばガソリン等）を供給する。図１に示すように、燃料ポンプ１０は、モータ部５０の他に、ポンプ部３０を備える。モータ部５０とポンプ部３０は、ハウジング２内に配置されている。ハウジング２は、両端が開口された円筒形状を有する。
【００１９】
ポンプ部３０は、ケーシング３２とインペラ３４を備える。ケーシング３２は、ハウジング２の下端の開口を閉塞する。ケーシング３２の下端には、吸入口３８が設けられている。ケーシング３２の上端には、ケーシング３２内とモータ部５０とを連通する連通孔（図示省略）が設けられている。ケーシング３２内には、インペラ３４が収容されている。
【００２０】
モータ部５０は、ポンプ部３０の上方に位置する。モータ部５０は、ブラシレスモータであり、三相モータである。モータ部５０は、ロータ５４とステータ６０とを備える。ロータ５４は、永久磁石を備える。ロータ５４の中心には、シャフト５２が貫通して固定されている。シャフト５２の下端は、インペラ３４の中心部に挿入され、貫通している。ロータ５４は、シャフト５２の両端部に配置された軸受けによって、Ｚ軸に平行である回転軸Ｒを中心に回転可能に支持されている。なお実施例では、図１の状態で上下を規定する。即ち、モータ部５０から見てポンプ部３０は「下」に位置し、ポンプ部３０から見てモータ部５０は「上」に位置する。
【００２１】
ステータ６０は、樹脂層６６に覆われている。樹脂層６６は、ハウジング２の上端の開口を閉塞する。樹脂層６６の上端には、吐出口１１が形成されている。吐出口１１は、モータ部５０と燃料ポンプ１０外の燃料経路とを連通する。吐出口１１は、ポンプ部３０で昇圧された燃料を、燃料経路に吐出するための開口である。樹脂層６６では、ステータ６０を覆う部分と吐出口１１とが、樹脂で一体成形されている。なお、ステータ６０を覆う部分と吐出口１１とは、別体で構成されていてもよい。
【００２２】
ステータ６０は、コア本体９０とコイル線９７とターミナル７０を備える。なお、図１では、コア本体９０の断面は省略されている。ステータ６０の上端には、ターミナル７０が取付けられている。ターミナル７０は、制御回路を介してバッテリ（ともに図示省略）に接続される。ターミナル７０は、ステータ６０のコイル線９７に電力を供給するための端子である。
【００２３】
コア本体９０は、コアプレート群（９２，９２，・）と、コアプレート群（９２，９２，・）の表面に設けられたインシュレータ９４と、を備える。コアプレート群（９２，９２、・）は、複数枚のコアプレート９２によって構成されている。複数枚のコアプレート９２は上下方向に積層されており、各コアプレート９２は磁性体材料によって形成されている。インシュレータ９４は、絶縁性の樹脂材料によって形成されている。インシュレータ９４は、積層された複数枚のコアプレート９２からなるコアプレート群（９２，９２・・）の表面を覆っている。
【００２４】
図２に示すように、コア本体９０は、６個の部分コアＵ１，Ｖ１，Ｗ１，Ｕ２，Ｖ２，Ｗ２を備える。６個の部分コアＵ１〜Ｗ２は、２個のＵ相の部分コアＵ１，Ｕ２と、２個のＶ相の部分コアＶ１，Ｖ２と、２個のＷ相の部分コアＷ１，Ｗ２で構成されている。各部分コアＵ１〜Ｗ２には、コイル線９７が巻回されている。具体的には、部分コアＵ１に巻回されたコイル線９７は、案内溝９９（図１参照）に案内されて部分コアＵ２に案内され、部分コアＵ２に巻回されている。同様に、部分コアＶ１に巻回されたコイル線９７は部分コアＶ２に巻回され、部分コアＷ１に巻回されたコイル線９７は部分コアＷ２に巻回されている。これによって、部分コアＵ１，Ｕ２はＵ相となり、部分コアＶ１，Ｖ２はＶ相となり、部分コアＷ１，Ｗ２はＷ相となる。なお、部分コアＵ１，Ｖ１，Ｗ１はコイル線９７を巻き始める側のコアであり、部分コアＵ２，Ｖ２，Ｗ２はコイル線が巻き終わる側のコアとなっている。
【００２５】
次に、部分コアＵ１〜Ｗ２について説明する。なお、各部分コアＵ１〜Ｗ２は略同一構成であるため、まず、部分コアＷ１について説明し、その他の部分コアＵ１，Ｖ１〜Ｗ２については、部分コアＷ１との相違点についてのみ説明する。部分コアＷ１は、ヨーク部９５と、ティース部９６と、連結部９８とを備える。
【００２６】
ヨーク部９５は、部分コアＷ１の最も外周側に位置する。ヨーク部９５は、円弧形状を有する。ヨーク部９５は、ステータ６０の周方向における両端に、対向面９５ａ，９５ｂを備える。対向面９５ａ，９５ｂのそれぞれは、隣接する部分コアＵ２，Ｖ１のそれぞれのヨーク部９５ｍ，９５ｃに対向する。対向面９５ａは、隣接する部分コアＵ２のヨーク部９５の対向面９５ｍと間隔を空けて対向する。対向面９５ｂは、隣接する部分コアＶ１のヨーク部９５の対向面９５ｃと当接する。対向面９５ｂは、全面に亘って、対向面９５ｃの全面と接触している。
【００２７】
ヨーク部９５は、対向面９５ｂよりも外周側に位置する連結部９８を備える。連結部９８は、部分コアＷ１のヨーク部９５と部分コアＶ１のヨーク部９５とに接続されて、部分コアＷ１と部分コアＶ１とを連結する。なお、部分コアＷ１のヨーク部９５は、部分コアＵ２のヨーク部９５と、連結部を介して連結されていない。
【００２８】
ヨーク部９５の中央部には、ステータ６０の中心に向かって伸びるティース部９６が配置されている。ティース部９６は、隣接する部分コアＵ２，Ｖ１のティース部９６との間に、間隔が空けられ、１個のスロット９６ａが形成されている。なお、部分コアＵ１〜Ｗ２では、隣接する部分コアＵ１〜Ｗ２のティース部９６間に、スロット９６ａが形成される。即ち、モータ部５０は、６個のスロット９６ａを有する。ステータ６０の内周側におけるティース部９６の先端は、ロータ５４に対向し、ロータ５４の外周面に沿った形状を有している。ティース部９６の中間部には、インシュレータ９４を挟んで、コイル線９７が巻回される。
【００２９】
部分コアＵ１，Ｖ１，Ｕ２〜Ｗ２と部分コアＷ１との相違点について説明する。部分コアＵ１の対向面９５ｅは、隣接する部分コアＶ１の対向面９５ｄと当接しており、部分コアＵ１の対向面９５ｆは、隣接する部分コアＷ２の対向面９５ｇと当接している。同様に、部分コアＷ２の対向面９５ｈは、隣接する部分コアＶ２の対向面９５ｉと当接しており、部分コアＶ２の対向面９５ｊは、隣接する部分コアＵ２の対向面９５ｋと当接している。即ち、ステータ６０では、互いに対向する６組の対向面のうち、１組の対向面（９５ａ，９５ｍ）は、ステータ６０の周方向において間隔を空けて配置されている。一方、互いに対向する６組の対向面のうち、１組の対向面（９５ａ，９５ｍ）以外の組の対向面（９５ｂ，９５ｃ），（９５ｄ，９５ｅ），（９５ｆ，９５ｇ），（９５ｈ，９５ｉ），（９５ｊ，９５ｋ）は、ステータ６０の周方向において、全面に亘って当接している。
【００３０】
６個の部分コアＵ１〜Ｗ２は、ステータ６０の外周側において、連結部９８によって、連結されている。ステータ６０は、ハウジング２に収容される前では、連結部９８が折り曲げられることによって、６個の部分コアＵ１〜Ｗ２が直線状に展開された展開状態（図３，４に示す状態）と、円筒状に折り曲げられた筒状態（図２に示す状態）とに切換え可能となっている。具体的には、図３，４に示す展開状態では、隣接する部分コア（Ｗ１，Ｖ１），（Ｖ１，Ｕ１），（Ｕ１，Ｗ２），（Ｗ２，Ｖ２），（Ｖ２，Ｕ２）は外周側で、連結部９８によって連結されており、部分コアＵ１〜Ｗ２は直線状に配置されている。なお、部分コアＵ１〜Ｗ２が直線状に配置されているため、各部分コアＵ１〜Ｗ２にコイル線９７を容易に卷回することができる。
【００３１】
一方、図２に示す筒状態では、隣接する部分コア（Ｗ１，Ｖ１），（Ｖ１，Ｕ１），（Ｕ１，Ｗ２），（Ｗ２，Ｖ２），（Ｖ２，Ｕ２），（Ｕ２，Ｗ１）のうち、展開状態の両端に位置する部分コアＵ２，Ｗ１以外の部分コア（Ｗ１，Ｖ１），（Ｖ１，Ｕ１），（Ｕ１，Ｗ２），（Ｗ２，Ｖ２），（Ｖ２，Ｕ２），（Ｕ２，Ｗ１）は、対向面（９５ｂ，９５ｃ），（９５ｄ，９５ｅ），（９５ｆ，９５ｇ），（９５ｈ，９５ｉ），（９５ｊ，９５ｋ）において密着する。一方、隣接する部分コア（Ｕ２，Ｗ１）は、間隔を空けて配置されている。この結果、筒状態におけるステータ６０の外周面を一巡したときの長さは、展開状態における複数個の部分コアＵ１〜Ｗ２のヨーク部９５のステータ６０の外周に相当する部分の長さと連結部９８の長さの合計、即ち、図４の上端の線分の長さよりも長い。
【００３２】
この構成によれば、展開状態のステータ６０の寸法が、設計寸法よりも大きい場合、対向面９５ａと対向面９５ｍとの隙間が狭くなることによって、寸法誤差が解消される。これにより、展開状態のステータ６０の寸法が、設計寸法よりも大きい場合であっても、ステータ６０を、設計寸法通りに作製することができる。ステータ６０の寸法精度の低下が抑制される。また、隣接する部分コア（Ｕ２，Ｗ１）は、連結部によって連結されていない。このため、対向面９５ａと対向面９５ｍとの隙間を、容易に調整することができる。製品毎に、展開状態のステータ６０の寸法にばらつきがある場合でも、筒状態においてステータ６０の寸法がばらつくことを抑制することができる。
【００３３】
また、ステータ６０を、展開状態から筒状態に変形させる際に、例えば、対向面９５ａと対向面９５ｍとを接触させる程度まで、各連結部９８を折り曲げることによって、連結部９８のスプリングバックを見込んで、連結部９８を、筒状態における連結部９８よりも余分に変形させることができる。これにより、対向面（９５ｂ，９５ｃ），（９５ｄ，９５ｅ），（９５ｆ，９５ｇ），（９５ｈ，９５ｉ），（９５ｊ，９５ｋ）の密着度を向上することができ、ステータ６０に形成される磁気回路の磁気抵抗を低減することができる。
【００３４】
次いで、燃料ポンプ１０の駆動について説明する。燃料ポンプ１０では、ターミナル７０を介して、コイル線９７に３相の交流電流が供給されると、ステータ６０に回転磁界が発生し、ロータ５４が回転する。これにより、燃料ポンプ１０は、燃料タンク内の燃料を、エンジンに圧送する。
【００３５】
対向面９５ａと対向面９５ｍとの隙間は、Ｕ，Ｖ，Ｗ相に対応する部分コアＵ１，Ｖ１，Ｗ１で構成されるコアグループＧ１と、Ｕ，Ｖ，Ｗ相に対応する部分コアＵ２，Ｖ２，Ｗ２で構成されるコアグループＧ２との間に位置する。コイル線９７に３相の交流電流が供給されている間、コア本体９０に磁場が発生する。ヨーク部９５を通過する磁束線は、互いに当接する対向面を通過して、隣接する部分コアのヨーク部９５まで到達する。しかしながら、隣接する部分コア（Ｕ２，Ｗ１）では、１組の対向面（９５ａ，９５ｍ）の間隔が空いているため、磁束線の通過が抑制される。即ち、ステータ６０では、コアグループＧ１によって１個の磁気回路が形成され、コアグループＧ２によって、コアグループＧ１の磁気回路とは分離された別の１個の磁気回路が形成される。この結果、モータ部５０は、１組の対向面（９５ａ，９５ｍ）の間に間隔が形成されていても、１組の対向面（９５ａ，９５ｍ）の間に間隔が形成されていない場合と同様のモータ特性（例えば回転数、モータ効率）を発揮することができる。
【００３６】
また、コアグループＧ１，Ｇ２のそれぞれでは、コアグループＧ１，Ｇ２内の隣接する部分コアは、１組の対向面において当接されている。この構成によれば、コアグループＧ１，Ｇ２のそれぞれで形成される磁気回路の磁気抵抗を低減することができる。
【００３７】
（第１実施例の変形例）
対向面９５ａと対向面９５ｍとは、平面でなくてもよい。例えば、図５に示すように、部分コアＷ１の対向面９５ａは、ステータ６０の周方向に突出する形状を有していてもよい。また、部分コアＵ２の対向面９５ｍは、対向面９５ａに対応して、ステータ６０の周方向に窪んだ形状を有していてもよい。図６に示すように、本変形例のステータ６０を、展開状態から筒状態に変形させる際に、対向面９５ａを、対向面９５ｍに挿入する。この構成によれば、対向面９５ａと対向面９５ｍ、即ち、部分コアＷ１と部分コアＵ２とを、容易に位置決めすることができる。
【００３８】
（第２実施例）
本実施例は、第１実施例と比較して、ステータ１６０の構成が、第１実施例のステータ６０と異なる。第１実施例と異なる点を説明する。図７に示すように、本実施例では、部分コアＷ１の対向面１９５ａの形状及び部分コアＵ２の対向面１９５ｍの形状のそれぞれが、対向面９５ａの形状及び対向面９５ｍの形状のそれぞれと異なる。それ以外のステータ１６０の構成は、ステータ６０の構成と同様である。
【００３９】
対向面１９５ａは、ステータ１６０の外周側において、ステータ１６０の周方向に突出している。対向面１９５ａの突出部分の内周面２００ａは、ステータ１６０の外周面と同心上の円弧面を有する。対向面１９５ｍは、ステータ１６０の内周側において、ステータ１６０の周方向に突出している。対向面１９５ｍの突出部分の外周面２００ｍは、ステータ１６０の外周面と同心上の円弧面を有する。
【００４０】
図８に示すように、本実施例のステータ１６０を、展開状態から筒状態に変形させると、内周面２００ａと外周面２００ｍとが当接する。これにより、部分コアＷ１と部分コアＵ２とを、容易に位置決めすることができる。また、コアグループＧ１によって形成される磁気回路と、コアグループＧ２によって形成される磁気回路とを接続することができる。
【００４１】
なお、変形例では、対向面１９５ａと対向面１９５ｍとは、互いに係合する構成であってもよい。この構成によれば、ステータ１６０を筒状態で維持することができる。
【００４２】
（第３実施例）
本実施例は、第１実施例と比較して、ステータ２６０の構成が、第１実施例のステータ６０と異なる。第１実施例と異なる点を説明する。図９に示すように、本実施例では、部分コアＵ１の連結部２９８、即ち、部分コアＵ１と部分コアＷ２とを連結する連結部２９８が、第１実施例の部分コアＵ１の連結部９８よりも長い。
【００４３】
図１０に示すように、ステータ２６０を、展開状態から筒状態に変形させると、１組の対向面（９５ａ，９５ｍ）は、互いに当接する。一方、１組の対向面（９５ｆ、９５ｇ）は、間隔を空けて配置される。それ以外のステータ２６０の構成は、ステータ６０の構成と同様である。
【００４４】
この構成によれば、ステータ２６０の周方向において、連結部２９８を圧縮又は伸張させることによって、筒状態のステータ２６０の形状を、容易に調整することができる。なお、連結部２９８がステータ２６０の周方向において、圧縮又は伸張変形されていない場合、筒状態におけるステータ２６０の外周面を一巡したときの長さは、展開状態における複数個の部分コアＵ１〜Ｗ２のヨーク部９５のステータ２６０の外周に相当する部分の長さと連結部９８，２９８の長さの合計、即ち、図９の上端の線分の長さと同一である。
【００４５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００４６】
（１）上述した各実施例では、ステータを燃料ポンプ１０に用いた例であったが、本明細書に開示するブラシレスモータは、冷却水ポンプ等の電動ポンプや、他の装置に用いられてもよい。
【００４７】
（２）上記の実施例では、複数組の対向面のうち、１組の対向面が、間隔を空けて配置される。しかしながら、２組以上の対向面が間隔を空けて配置されていてもよい。例えば、図１１に示すように、第１実施例のステータ６０と第３実施例のステータ２６０とを組み合わせてもよい。即ち、２組の対向面（９５ａ，９５ｍ）、（９５ｆ，９５ｇ）のそれぞれは、間隔を空けて配置されていてもよい。部分コアＵ１と部分コアＷ２とは、連結部２９７によって連結されていてもよい。
【００４８】
（３）上述した実施例では、６スロットの３相モータであるモータ部５０が記載されているが、モータは、３×Ｎ（Ｎは、正の整数）個のスロットを有する３相の交流モータであってもよい。この場合、３×Ｎ個の部分コアが、ステータに含まれていてもよい。そして、３×Ｎ個の部分コアは、Ｎ個のコアグループに分類されていてもよい。そして、各コアグループに属する３個の部分コアは、ステータの周方向に並んで配置されてよい。１個のコアグループに属する３個の部分コアでは、対向面は、当接していてもよい。一方、コアグループ間に位置する対向面のうちの少なくとも１組の対向面は、間隔を空けて配置されていてもよい。なお、同一のコアグループの隣接する部分コアに含まれる１組の対向面が、間隔を空けて配置されていてもよい。
【００４９】
（４）上述した実施例では、隣接する部分コアの連結部９８は、対向面の外周端に配置されている。しかしながら、連結部９８は、対向面の外周端以外の位置、例えば、内周端あるいは中央位置に配置されていてもよい。
【００５０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５１】
１０：燃料ポンプ
３０：ポンプ部
５０：モータ部
５４：ロータ
６０：ステータ
９０：コア本体
９２：コアプレート
９５：ヨーク部
９５ａ〜９５ｍ：対向面
９６：ティース部
９７：コイル線
９８：連結部
Ｇ１，Ｇ２：コアグループ
Ｕ１〜Ｗ２：部分コア
【図１】
2014204601.tif 000003
【図２】
2014204601.tif 000004
【図３】
2014204601.tif 000005
【図４】
2014204601.tif 000006
【図５】
2014204601.tif 000007
【図６】
2014204601.tif 000008
【図７】
2014204601.tif 000009
【図８】
2014204601.tif 000010
【図９】
2014204601.tif 000011
【図１０】
2014204601.tif 000012
【図１１】
2014204601.tif 000013